(57)【要約】【課題】建築モジュールに関係なく所望の仮設便所を提供できるようにし、折り畳みおよび移設を容易にし、省スペース効果のある仮設便所を提供する。【解決手段】ハウジング内に水洗便器を備えてなる仮設便所において、上記ハウジングＨの扉を含む前面のパネル１１ａと背面のパネル１１ｂの両端を折り曲げて断面を極浅いＵ字状とし、上記各パネル１１ａ，１１ｂの両端と両側面のパネル１１ｃ，１１ｄの両端とをヒンジ１２ａで連結し、両側面パネル１１ｃ，１１ｄを中央縦方向に二分してヒンジ１２ｂで連結してパネル１１ｃ，１１ｄが内側に、かつ、斜めに折り畳めるようにしたもの、あるいは、上記ハウジングの扉を含む前面のパネルと背面のパネルの両端を、長さを違えて折り曲げて断面を極浅い長さの違うＵ字状とし、上記各パネルの両端と両側面のパネルの両端とをヒンジで連結し、両側面パネルを中央縦方向に二分してヒンジで連結してパネルが内側に折り畳めるようにしたものである。【選択図】図１
2008095482.tif 000002
【特許請求の範囲】
【請求項１】
ハウジング内に水洗便器を備えてなる仮設便所において、上記ハウジング（Ｈ）の扉を含む前面のパネル（１１ａ）と背面のパネル（１１ｂ）の両端を折り曲げて断面を極浅いＵ字状とし、上記各パネル（１１ａ，１１ｂ）の両端と両側面のパネル（１１ｃ，１１ｄ）の両端とをヒンジ（１２ａ）で連結し、両側面パネル（１１ｃ，１１ｄ）を中央縦方向に二分してヒンジ（１２ｂ）で連結してパネル（１１ｃ，１１ｄ）が内側に、かつ、斜めに折り畳めるようにしたことを特徴とする仮設便所。
【請求項２】
上記ハウジング（Ｈ）の扉を含む前面のパネル（２１ａ）と背面のパネル（２１ｂ）の両端を、長さを違えて折り曲げて（Ｅ１，Ｅ２）断面を極浅い長さの違うＵ字状とし、上記各パネル（２１ａ，２１ｂ）の両端と両側面のパネル（２１ｃ，２１ｄ）の両端とをヒンジ（２２ａ）で連結し、両側面パネル（２１ｃ，２１ｄ）を中央縦方向に二分してヒンジ（２２ｂ）で連結してパネル（２１ｃ，２１ｄ）が内側に折り畳めるようにしたことを特徴とする仮設便所。
【請求項３】
上記ヒンジ（１２ａまたは２２ａ）で連結したパネル（１１ａまたは２１ａ）側に雨蓋（１５または２５）を形成し、上記ヒンジ（１２ｂまたは２２ｂ）で連結したパネル（１１ｂ，１１ｃまたは２１ｂ，２１ｃ）の端にパッキングＰを配置して雨水の吹込みを防止する構造としたことを特徴とする請求項１または２に記載の仮設便所。
【請求項４】
上記ハウジングＨの内部下側に水洗便器３３を支えるケーシング兼便槽３２を配置し、このケーシング兼便槽３２の内部に、上記水洗便器を回避するようにして可撓性水嚢３４を内装し、この可撓性水嚢３４内に水洗水供給用ポンプＰを配置したことを特徴とする請求項１乃至３のいずれかに記載の仮設便所。
【発明の詳細な説明】
【技術分野】
【０００１】  この発明はハウジングを折畳み可能にした仮設便所に関する。
【背景技術】
【０００２】  一般的な仮設便所はパネルを組み立ててハウジングとしており、組み立てたハウジングは折り畳めるようになっていない。【０００３】  こうした状況の下でハウジングを折畳み可能にして、搬送時は嵩張らず、設置現場では簡単に組み立て設置できる仮設便所が望まれており、この要望に応えるものとして特許文献１で示される仮設便所が提案されている。【０００４】
【特許文献１】特開６−３０６９１６号公報（要約および選択図面）
【発明の開示】
【発明が解決しようとする課題】
【０００５】  上記先行技術に係る仮設便所では一般的な建築モジュールから考えると、両サイドのパル折り畳むと、その先端が突き合うため、突き合わないようにするには間口のパネルの幅か大きくしなくてはならず、他の建築物と寸法的に合わなくなる問題がある。【０００６】  上記問題を解決するためにこの発明は、建築モジュールに関係なく所望の仮設便所を提供できるようにし、折り畳みおよび移設を容易にし、省スペース効果のある仮設便所を提供することを課題とする。
【課題を解決するための手段】
【０００７】  上記課題を解決するためにこの発明は、ハウジング内に水洗便器を備えてなる仮設便所において、上記ハウジングＨの扉を含む前面のパネル１１ａと背面のパネル１１ｂの両端を折り曲げて断面を極浅いＵ字状とし、上記各パネル１１ａ，１１ｂの両端と両側面のパネル１１ｃ，１１ｄの両端とをヒンジ１２ａで連結し、両側面パネル１１ｃ，１１ｄを中央縦方向に二分してヒンジ１２ｂで連結してパネル１１ｃ，１１ｄが内側に、かつ、斜めに折り畳めるようにしたもの、【０００８】  あるいは、上記ハウジングＨの扉を含む前面のパネル２１ａと背面のパネル２１ｂの両端を、長さを違えて折り曲げてＥ１，Ｅ２断面を極浅い長さの違うＵ字状とし、上記各パネル２１ａ，２１ｂの両端と両側面のパネル２１ｃ，２１ｄの両端とをヒンジ２２ａで連結し、両側面パネル２１ｃ，２１ｄを中央縦方向に二分してヒンジ２２ｂで連結してパネル２１ｃ，２１ｄが内側に折り畳めるようにしたものである。【０００９】  また、上記ハウジングＨの内部下側に水洗便器３３を支えるケーシング兼便槽３２を配置し、このケーシング兼便槽３２の内部に、上記水洗便器を回避するようにして可撓性水嚢３４を内装し、この可撓性水嚢３４内に水洗水供給用ポンプＰを配置することができる。
【発明の効果】
【００１０】  上記のごとく構成するこの発明によれば、間口を通常の建築モジュールにして、奥行きを十分深くした仮設便所を提供できるようになり、かつ、占有スペースが小さく移動容易な仮設便所を提供できる。【００１１】  次に、この発明の実施の形態を、図面を参照しながら説明する。
【実施例１】
【００１２】  図１、図２は、実施例１に係り、ハウジングＨの扉１３を含む前面のパネル１１ａと背面のパネル１１ｂの両端を折り曲げて断面を極浅いＵ字状とし、上記各パネル１１ａ，１１ｂの両端と両側面のパネル１１ｃ，１１ｄの両端とをヒンジ１２ａで連結し、両側面パネル１１ｃ，１１ｄを中央縦方向に二分してヒンジ１２ｂで連結してパネル１１ｃ，１１ｄが内側に折り畳めるようにしている。【００１３】  ここで、ヒンジ１２ａおよび１２ｂの連結状態は、折り畳んだとき９０度を僅かに超えて折り畳めるようになり、その結果、折り畳まれた１１ｃ，１１ｄは斜めになって互いに行き交い干渉しない構造になっている。【００１４】  ヒンジ１２ａにより連結されたパネル１１ａ，１１ｂの端には雨蓋１５を一体に設け、ヒンジ１２ｂ突合せ部分にはパッキングＰ介在させて雨の吹き込みを防止するようになっている。なお、扉１３にはロック１４が付設されている。
【実施例２】
【００１５】  図１、図２は、実施例２に係り、ハウジングＨの扉を含む前面のパネル２１ａと背面のパネル２１ｂの両端を、Ｅ１，Ｅ２のように長さを違えて折り曲げて断面を極浅い長さの違うＵ字状とし、上記各パネル２１ａ，２１ｂの両端と両側面のパネル２１ｃ，２１ｄの両端とをヒンジ２２ａで連結し、両側面パネル２１ｃ，２１ｄを中央縦方向に二分してヒンジ２２ｂで連結してパネル２１ｃ，２１ｄが内側に折り畳めるようにしている。【００１６】  この実施例を実施例１と比較すると、パネル２１ｃ，２１ｄが折り畳まれる位置が互いにずれているので、折り畳まれたパネル２１ｃ，２１ｄが斜めになる必要がない。なお、パネル２１ａ，２１ｂとパネル２１ｃ，２１ｄとを連結する部分には実施例１と同様に雨蓋２５が設けられ、必要ならばヒンジ２２ｂの部分に実施例１と同様にパッキングを介在させることもできる。【００１７】  図５は、実施例１および２の正面、側面、背面図で１７は天蓋、１８は吸気・排気用ガラリ、１９は便槽である。
【実施例３】
【００１８】  図６は実施例３に係り、上記各実施例の便槽１９を設けず（図５参照）、ハウジングＨの内部下側に水洗便器３３を支えるケーシング兼便槽３２を配置し、このケーシング兼便槽３２の内部に、上記水洗便器３３を回避するようにして可撓性水嚢３４を内装し、この可撓性水嚢３４内に水洗水供給用ポンプＰを配置したものである。【００１９】  このようにケーシング兼便槽３２を配置することにより、別個の便槽を設けることなく、便槽と水洗水のタンクとが一体になり、そのことにより水洗水が消費された空隙に排泄物が入れ替わり溜まるので省スペース効果が得られる。
【産業上の利用可能性】
【００２０】  以上説明したようにこの発明によれば、移送時には嵩低くすることができ、組み立てが簡単で、建築モジュールに関係なく奥行きのある仮設便所を提供できる。また、場合によっては、部材の節約省スペース効果がえられて産業上の利用可能性が高い。
【図面の簡単な説明】
【００２１】
【図１】実施例１の水平断面図
【図２】同折り畳んだ状態の水平断面図
【図３】実施例２の水平断面図
【図４】同折り畳んだ状態の水平断面図
【図５】本発明に係る仮設便所の（ａ）正面図、（ｂ）側面図（ｃ）背面図
【図６】実施例３の（ａ）要部断面図（ｂ）可撓性水嚢の斜視図（ｃ）同部分斜視図
【符号の説明】
【００２２】１１ａ，１１ｂ，１１ｃ，１１ｄ  パネル
１２１２ａ，１２ｂ  ヒンジ
１３  ドアー
１４  ロック
１５  雨蓋
１６  金具
１７  屋根
１８  給排気口
３０  仮設便所
３２  ケーシング兼便槽
３３  水洗便器
３４  可撓性水嚢
３５  給水管
３６  蛇腹
Ｈ  ハウジング
Ｒ１，Ｒ２，Ｒ３  リブ
Ｐ  パッキング
Ｐｏ  ポンプ
【図１】
2008095482.tif 000003
【図２】
2008095482.tif 000004
【図３】
2008095482.tif 000005
【図４】
2008095482.tif 000006
【図５】
2008095482.tif 000007
【図６】
2008095482.tif 000008